【手続補正書】
【提出日】平成23年11月16日(2011.11.16)
【手続補正１】
【補正対象書類名】特許請求の範囲
【補正対象項目名】全文
【補正方法】変更
【補正の内容】
【特許請求の範囲】
【請求項１】
オンラインセッションのコミュニティ調停のための方法であって、
特定のオンラインユーザによる、他のオンラインユーザの認識またはオンラインコミュニティの規範を含むファクタにもとづく不適切な振る舞いを観察するステップと、
前記不適切な振る舞いに対してトリガリングメカニズムを起動するように他のオンラインユーザを奨励するステップと、
前記不適切な振る舞いが観察されるときに前記オンラインセッションの時間ベースの履歴を取得するステップと、
前記時間ベースの履歴を調停エンティティに送信するステップと、
問題を起こしているオンラインユーザに対して適切なアクションを取るステップとを含み、
前記時間ベースの履歴を取得するステップは、前記オンラインユーザによってコントロールされるアバターの不適な振る舞いをモニタするための前記アバターの姿と音を取得するステップと、前記オンラインユーザが不適切な振る舞いに関与していたかどうかを決定するために前記時間ベースの履歴を評価するステップとを含み、
前記問題を起こしているオンラインユーザに対して適切なアクションを取るステップは、問題を起こしているコミュニティメンバに対して警告を発信すること、問題を起こしているコミュニティメンバに対して利用可能なオンラインオプションを制限すること、および問題を起こしているコミュニティメンバによるオンラインコミュニティへのアクセスを制限することの内、１つ以上を含むことを特徴とする方法。
【請求項２】
前記オンラインセッションの前記時間ベースの履歴は、前記トリガリングメカニズムを起動するよりもあらかじめ定められた時間だけ前に起きたオンラインセッションのアクティビティを含む請求項１の方法。
【請求項３】
前記時間ベースの履歴を取得するステップは、前記特定のオンラインユーザのアイデンティティを前記特定のオンラインユーザのオンラインアクティビティに関連づけることを含む請求項１の方法。
【請求項４】
不適切な振る舞いの虚偽の特定をする前記オンラインユーザにデメリットを与えるステップをさらに含む請求項１の方法。
【請求項５】
時間ベースの履歴に含められるアクティビティのタイプは、テキストチャット、オーディオチャット、すべてのキャラクタの状態、キャラクタの位置、およびオンライン環境を再生するのに有益なデータを含む請求項１の方法。
【請求項６】
オンラインコミュニティにおけるアクティビティを調停する方法であって、
不適切なアクティビティを報告することに対して報酬を与えることにより、他のコミュニティメンバによる不適切なアクティビティを報告するように前記オンラインコミュニティのメンバを奨励するステップと、
前記オンラインコミュニティのメンバが、前記他のコミュニティメンバによる不適切なアクティビティを報告するためにトリガリングメカニズムを起動したことを示す指標を受信するステップと、
前記トリガリングメカニズムが起動された時間帯のすべてのオンラインコミュニティメンバの時間ベースの履歴であって、前記不適切な振る舞いが観察されるときに取得される時間ベースの履歴を受信するステップと、
前記時間ベースの履歴からコミュニティアクティビティを再生するステップと、
前記コミュニティアクティビティを評価して、不適切なアクティビティがあったかどうかを判定するステップと、
問題を起こしているコミュニティメンバに対して適切なアクションを取るステップとを含み、
前記時間ベースの履歴を取得するステップは、前記オンラインユーザによってコントロールされるアバターの不適な振る舞いをモニタするための前記アバターの姿と音を取得するステップと、前記オンラインユーザが不適切な振る舞いに関与していたかどうかを決定するために前記時間ベースの履歴を評価するステップとを含み、
前記問題を起こしているオンラインユーザに対して適切なアクションを取るステップは、問題を起こしているコミュニティメンバに対して警告を発信すること、問題を起こしているコミュニティメンバに対して利用可能なオンラインオプションを制限すること、および問題を起こしているコミュニティメンバによるオンラインコミュニティへのアクセスを制限することの内、１つ以上を含むことを特徴とする方法。
【請求項７】
オンラインコミュニティであって、
前記オンラインコミュニティにおいてコミュニケーションする少なくとも二人のユーザと、調停エンティティとを含み、
前記オンラインコミュニティの第１ユーザは、前記オンラインコミュニティの第２ユーザによる不適切な振る舞いを観察し、その不適切な振る舞いに対してパニックボタンを押し、前記パニックボタンの押し下げは、オンラインコミュニティのアクティビティの時間ベースの履歴であって、前記不適切な振る舞いが観察されるときに取得される時間ベースの履歴を格納することを開始させ、前記時間ベースの履歴は、前記パニックボタンを押す前の望ましい期間と前記パニックボタンを押した後の望ましい期間とに広がる期間を占めるものであり、
前記調停エンティティは、前記時間ベースの履歴を受信し、オンラインアクティビティを再生し、ユーザの一人による不適切なアクティビティがあったかどうかを判定し、もしユーザの一人による不適切なアクティビティがあったなら、そのユーザに対して適切なアクションを取り、
前記時間ベースの履歴を取得することは、前記オンラインユーザによってコントロールされるアバターの不適な振る舞いをモニタするための前記アバターの姿と音を取得するステップと、前記オンラインユーザが不適切な振る舞いに関与していたかどうかを決定するために前記時間ベースの履歴を評価するステップとを含み、
前記問題を起こしているオンラインユーザに対して適切なアクションを取ることは、問題を起こしているコミュニティメンバに対して警告を発信すること、問題を起こしているコミュニティメンバに対して利用可能なオンラインオプションを制限すること、および問題を起こしているコミュニティメンバによるオンラインコミュニティへのアクセスを制限することの内、１つ以上を含むことを特徴とするオンラインコミュニティ。
【請求項８】
オンラインコミュニティにおいて使用されるネットワーク可能デバイスであって、
ネットワークユーザの認識またはネットワークコミュニティの規範を含むファクタにもとづいて不適なオンラインアクティビティがネットワークユーザによって観察されたときにネットワークユーザによって起動されるトリガリングメカニズムと、
前記トリガリングメカニズムが起動されたとき、前記オンラインコミュニティにおけるネットワークユーザのオンラインアクティビティの時間ベースの履歴を取得するプロセッサと、
前記時間ベースの履歴を調停エンティティに送信するネットワークインタフェースとを含み、
前記調停エンティティは、前記不適切なオンラインアクティビティがいつ起き、どのオンラインユーザによってなされたかを判定し、
前記時間ベースの履歴を取得することは、前記オンラインユーザによってコントロールされるアバターの不適な振る舞いをモニタするための前記アバターの姿と音を取得するステップと、前記オンラインユーザが不適切な振る舞いに関与していたかどうかを決定するために前記時間ベースの履歴を評価するステップとを含み、
前記プロセッサは、問題を起こしているオンラインユーザに対して適切なアクションを発行し、
前記問題を起こしているオンラインユーザに対して適切なアクションを取ることは、問題を起こしているコミュニティメンバに対して警告を発信すること、問題を起こしているコミュニティメンバに対して利用可能なオンラインオプションを制限すること、および問題を起こしているコミュニティメンバによるオンラインコミュニティへのアクセスを制限することの内、１つ以上を含むことを特徴とするネットワーク可能デバイス。
【請求項９】
前記オンラインセッションの前記時間ベースの履歴は、オンラインアクティビティのスライディングウインドウとしてバッファに格納される請求項１の方法。
【請求項１０】
問題を起こしているコミュニティメンバに対して適切なアクションを取るステップは、その問題を起こしているコミュニティメンバの通信能力を無効にするステップを含む請求項６の方法。